(57)【要約】【課題】吹き抜け部に床を張って床面積を増大させる後施工床を確実に支持することができる建物を提供する。【解決手段】躯体を構成する耐力壁１Ｓと所定間隔離間し、かつ該耐力壁１Ｓと平行に梁材３０Ｓが設けられ、この梁材３０Ｓが構造材２５により前記耐力壁１Ｓと一体的に連結されているので、梁材３０Ｓが受ける荷重を耐力壁１Ｓに伝達することができる。そして、梁材３０Ｓの前記耐力壁１Ｓと反対側に、下階から上階に吹きぬける吹き抜け部１７が設けられているので、梁材３０Ｓの前記耐力壁１Ｓと反対側に、後施工床２８を設けて建物の床面積を増大させる場合に、後施工床２８を梁材３０Ｓに支持させることによって該後施工床２８を確実に支持できる。【選択図】図２
2005307509.tif 000002
【特許請求の範囲】
【請求項１】
躯体を構成する耐力壁と所定間隔離間し、かつ該耐力壁と平行に梁材が設けられ、この梁材が構造材により前記耐力壁と一体的に連結されており、前記梁材の前記耐力壁と反対側に、下階から上階に吹きぬける吹き抜け部が設けられていることを特徴とする建物。
【請求項２】
前記吹き抜け部に後施工床が前記梁材とほぼ同高さ位置に配置され、この後施工床は前記梁材の側面に固定された床受け材によって支持されていることを特徴とする請求項１に記載の建物。
【請求項３】
前記梁材の上面は後施工床の床面と面一であることを特徴とする請求項１または２に記載の建物。
【請求項４】
前記耐力壁と直交する他の耐力壁の上端には、前記梁材の端面、両側面及び下面と当接する支持材が設けられていることを特徴とする請求項１〜３のいずれか一項に記載の建物。
【請求項５】
前記床受け材は後施工床を設置する階の床高さよりも後施工床の厚さだけ低い位置に設けられていることを特徴とする請求項１〜４のいずれか一項に記載の建物。
【請求項６】
前記吹き抜け部の外周部には着脱自在な腰壁が設けられていることを特徴とする請求項１〜５のいずれか一項に記載の建物。
【発明の詳細な説明】
【技術分野】
【０００１】
本発明は、吹き抜けを有する建物に関する。
【背景技術】
【０００２】
近年、住宅の構築については、その工業化が進み、例えば、プレハブ住宅等においては、柱、梁等をあまり使用せずに、予め工場で形成された床パネル、壁パネル、天井パネル等の矩形板状のパネルを配列していくことにより、床、壁、天井等を形成していく施工方法（以下、パネル工法）が知られている。
【０００３】
このような住宅において、建物内部を明るく開放感がある空間にするために、建物のほぼ中央に吹き抜け部を設けた建物が知られている（例えば、特許文献１参照）。
【特許文献１】特開２００１−２９５４８１号公報
【発明の開示】
【発明が解決しようとする課題】
【０００４】
しかし、吹き抜け部を設けると、その面積の分だけ、床面積が減少するという問題があり、敷地面積が狭い建物では、将来家族構成が変化した場合に対応できない恐れがある。
【０００５】
吹き抜け部に床を張って床面積を増大させることも考えられるが、その場合には、吹き抜け部に設ける後施工床を確実に支持する必要がある。
【０００６】
本発明の課題は、吹き抜け部に床を張って床面積を増大させる後施工床を確実に支持することができる建物を提供することである。
【課題を解決するための手段】
【０００７】
以上の課題を解決するため、請求項１に記載の発明は、図１〜４に示すように、吹き抜けを有する建物であって、躯体を構成する耐力壁（外壁１Ｗ、１Ｓ）と所定間隔離間し、かつ該耐力壁（外壁１Ｗ、１Ｓ）と平行に梁材（梁部材３０Ｗ、３０Ｓ）が設けられ、この梁材（梁部材３０Ｗ、３０Ｓ）が構造材（接続床２５）により前記耐力壁（外壁１Ｗ、１Ｓ）と一体的に連結されており、前記梁材（梁部材３０Ｗ、３０Ｓ）の前記耐力壁（外壁１Ｗ、１Ｓ）と反対側に、下階から上階に吹きぬける吹き抜け部１７が設けられていることを特徴とする。
【０００８】
請求項１に記載の発明によれば、躯体を構成する耐力壁（外壁１Ｗ、１Ｓ）と所定間隔離間し、かつ該耐力壁（外壁１Ｗ、１Ｓ）と平行に梁材（梁部材３０Ｗ、３０Ｓ）が設けられ、この梁材（梁部材３０Ｗ、３０Ｓ）が構造材（接続床２５）により前記耐力壁（外壁１Ｗ、１Ｓ）と一体的に連結されているので、梁材（梁部材３０Ｗ、３０Ｓ）が受ける荷重を耐力壁（外壁１Ｗ、１Ｓ）に伝達することができる。
【０００９】
そして、梁材（梁部材３０Ｗ、３０Ｓ）の前記耐力壁（外壁１Ｗ、１Ｓ）と反対側に、下階から上階に吹きぬける吹き抜け部１７が設けられているので、梁材（梁部材３０Ｗ、３０Ｓ）の前記耐力壁（外壁１Ｗ、１Ｓ）と反対側に、後施工床（床パネル２８）を設けて建物の床面積を増大させる場合に、後施工床（床パネル２８）を梁材（梁部材３０Ｗ、３０Ｓ）に支持させることによって、該後施工床（床パネル２８）を確実に支持できる。
【００１０】
また、梁材（梁部材３０Ｗ、３０Ｓ）及び構造材（接続床２５）と、下階（１階）の床または上階（２階）の天井と、耐力壁（外壁１Ｗ、１Ｓ）とにより、鉛直断面視コ字状の構造が形成されるので、この間に特別な物入れ棚（収納ユニット１５ｂ、１５ｃ）を設けることができる。
【００１１】
請求項２に記載の発明は、請求項１に記載の建物であって、前記吹き抜け部１７に後施工床（床パネル２８）が前記梁材（梁部材３０Ｗ、３０Ｓ）とほぼ同高さ位置に配置され、この後施工床（床パネル２８）は前記梁材（梁部材３０Ｗ、３０Ｓ）の側面に固定された床受け材３１によって支持されていることを特徴とする。
【００１２】
請求項２に記載の発明によれば、梁材（梁部材３０Ｗ、３０Ｓ）の側面に固定された床受け材３１によって後施工床（床パネル２８）が支持されているので、吹き抜け部１７に後施工床（床パネル２８）を設けることができ、よって上階の床面積を増大させることができる。
【００１３】
請求項３に記載の発明は、請求項１または２に記載の建物であって、図２に示すように、前記梁材（梁部材３０Ｗ、３０Ｓ）の上面は前記後施工床（床パネル２８）の床面と面一であることを特徴とする。
【００１４】
請求項３に記載の発明によれば、梁材（梁部材３０Ｗ、３０Ｓ）の上面を後施工床（床パネル２８）の床面と面一にすることで、梁材（梁部材３０Ｗ、３０Ｓ）の鉛直方向の厚さ（梁成）を変えずに、梁材（梁部材３０Ｗ、３０Ｓ）の下面を高くすることができ、梁材（梁部材３０Ｗ、３０Ｓ）の下の部屋の天井を高くすることができる。
【００１５】
請求項４に記載の発明は、請求項１〜３のいずれか一項に記載の建物において、図４に示すように、前記耐力壁（外壁１Ｗ、１Ｓ）と直交する他の耐力壁（壁パネル４ｄ、４ｅ、耐力壁２ｃ及び壁５）の上端には、前記梁材（梁部材３０Ｗ、３０Ｓ）の端面、両側面及び下面と当接する支持材４０が設けられていることを特徴とする。
【００１６】
請求項４に記載の発明によれば、前記耐力壁（外壁１Ｗ、１Ｓ）と直交する他の耐力壁（壁パネル４ｄ、４ｅ、耐力壁２ｃ及び壁５）の上端に設けられた支持材４０を前記梁材（梁部材３０Ｗ、３０Ｓ）の端面、両側面及び下面と当接させることで、梁材（梁部材３０Ｗ、３０Ｓ）の位置決めを行うとともに、安定して支持することができる。
【００１７】
請求項５に記載の発明は、請求項１〜４のいずれか一項に記載の建物において、前記床受け材３１は後施工床（床パネル２８）を設置する階の床高さよりも後施工床（床パネル２８）の厚さだけ低い位置に設けられていることを特徴とする。
【００１８】
請求項５に記載の発明によれば、床受け材３１が後施工床を設置する階の床高さよりも後施工床（床パネル２８）の厚さだけ低い位置に設けられているので、後施工床（床パネル２８）の上面が、後施工床（床パネル２８）を設置する階の床と面一になるように設置することができ、床仕上げを平坦にすることができる。
【００１９】
請求項６に記載の発明は、請求項１〜５のいずれか一項に記載の建物において、前記吹き抜け部１７の外周部には着脱自在な腰壁（手摺壁２６）が設けられていることを特徴とする。
【００２０】
請求項６に記載の発明によれば、吹き抜け部１７の外周部には着脱自在な腰壁（手摺壁２６）が設けられているので、吹き抜け部１７の外周部に落下防止用の腰壁（手摺壁２６）を設けることができるとともに、吹き抜け部１７に後施工床（床パネル２８）を設けたときには、腰壁（手摺壁２６）を撤去して間取りを任意に変更することができる。
【発明の効果】
【００２１】
本発明によれば、躯体を構成する耐力壁と所定間隔離間し、かつ該耐力壁と平行に梁材が設けられ、この梁材が構造材により前記耐力壁と一体的に連結されているので、梁材が受ける荷重を耐力壁に伝達することができる。
【００２２】
そして、梁材の前記耐力壁と反対側に、下階から上階に吹きぬける吹き抜け部が設けられているので、梁材の前記耐力壁と反対側に、後施工床を設けて建物の床面積を増大させる場合に、後施工床を梁材に支持させることによって、該後施工床を確実に支持できる。
【００２３】
また、梁材及び構造材と、下階の床または上階の天井と、耐力壁とにより、鉛直断面視コ字状の構造が形成されるので、この間に特別な物入れ棚を設けることができる。
【００２４】
また、梁材の側面に固定された床受け材によって後施工床が支持されているので、吹き抜け部に後施工床を設けることができ、よって上階の床面積を増大させることができる。
【００２５】
また、梁材を耐力壁と一体に固定する構造材が設けられているため、梁材が受ける荷重を耐力壁に伝達することができ、後施工床を支持するのに充分な強度を得ることができる。
【００２６】
また、梁材の上面を後施工床の床面と面一にすることで、梁材の高さ（梁成）を変えずに、梁材の下面を高くすることができ、梁材の下の部屋の天井を高くすることができる。
【００２７】
さらに、前記耐力壁と直交する他の耐力壁の上端に設けられた支持材を、梁材の端面、両側面及び下面と当接させることで、梁材の位置決めを行うとともに、安定して支持することができる。
【００２８】
また、後施工床を設置する階の床高さよりも後施工床の厚さだけ低い位置に床受け材を取り付けることで、後施工床の上面が、後施工床を設置する階の床と面一になるように設置することができ、床仕上げを平坦にすることができる。
【００２９】
また、吹き抜け部の外周部に落下防止用の腰壁を設けることができるとともに、吹き抜け部に後施工床を設けたときには、腰壁を撤去して間取りを任意に変更することができる。
【発明を実施するための最良の形態】
【００３０】
以下、本発明の実施の形態について詳細に説明する。図１は本発明を実施した建物を示す間取り図であり、（ａ）は１階の間取り図、（ｂ）は２階の間取り図である。
【００３１】
この建物は、桟材を矩形枠状に組み立て、この矩形枠内に必要に応じて補強桟材を縦横に組み付け、両面もしくは片面に合板等の面材を貼りつけたパネルを予め工場等で形成し、これを床、壁、屋根等の構造材として用い、施工現場でこれらのパネルを組み立てることにより住宅を構築するパネル工法を用いて構築されている。
【００３２】
西側の外壁１Ｗには、図１（ａ）に示すように、玄関１１が設けられている。玄関１１と隣接した北西の角部には浴室１２が設けられており、浴室１２に隣接して洗面所兼トイレ１３が設けられている。１階の北東にはキッチン１４が設けられている。浴室１２、洗面所兼トイレ１３、キッチン１４の北側の外壁１Ｎには、それぞれ窓８ａ、８ｂ、８ｃが設けられている。
【００３３】
１階の南半分はリビングルーム１５となっている。リビングルーム１５はキッチン１４と一体化した大空間を形成している。また、玄関１１とリビングルーム１５との間には、西側の外壁１Ｗと垂直な壁５が設けられている。
【００３４】
リビングルーム１５の西側半分は、図１（ｂ）に示すように、吹き抜け部１７となっている。この吹き抜け部１７の部分に、壁５に沿って、２階へ通じる階段１６が設けられている。
【００３５】
東側の外壁１Ｅには、玄関１１と対向する位置に、小開口部６ａが設けられている。小開口部６ａの北側と南側には、幅約４５ｃｍの耐力壁２ａ、耐力壁２ｂがそれぞれ設けられている。なお、耐力壁２ａ、２ｂは２階まで連続している。耐力壁２ａと北側の外壁１Ｎとの間には、東側の外壁１Ｅに沿って奥行き約４５ｃｍの収納スペース１４ａが設けられている。
【００３６】
東側の外壁１Ｅの南端には、外壁１Ｅを構成する壁パネルと、幅約４５ｃｍの３枚の壁パネル４ａ、４ｂ、４ｃとを合わせて、角柱状に組んで形成された柱構造３Ｅが設けられている。また、西側の外壁１Ｗと南側の外壁１Ｓとの接合部には、西側及び南側の外壁１Ｗ、１Ｓを構成する壁パネルと、幅約４５ｃｍの２枚の壁パネル４ｄ、４ｅとを合わせて、角柱状に組んで形成された柱構造３Ｗが設けられている。
【００３７】
柱構造３Ｅと３Ｗと中間位置には、幅約４５ｃｍの耐力壁２ｃが南北方向に設けられている。なお、耐力壁２ｃは２階まで連続している。耐力壁２ｃの北側の端と柱構造との間には、床から天井まで届く高さの大開口部７ａが設けられている。耐力壁２ｃは屋根まで連続しており、耐力壁２ｃの南側の端と西側の柱構造３Ｗとの間には、南側の外壁１Ｓが設けられている。耐力壁２ｃと外壁１Ｓとは垂直である。また、外壁１Ｗと壁パネル４ｄとは垂直であり、外壁１Ｓと壁パネル４ｅとは垂直である。
【００３８】
耐力壁２ｂと、柱構造３Ｅとの間には、東側の外壁１Ｅに沿って奥行き約４５ｃｍの収納ユニット１５ａが設けられている。また、耐力壁２ｃと柱構造３Ｗとの間にも、南側の外壁１Ｓに沿って奥行き約４５ｃｍの収納ユニット１５ｂが設けられている。また、玄関１１とリビングルーム１５の間の壁と、柱構造３Ｗとの間にも、西側の外壁１Ｗに沿って奥行き約４５ｃｍの収納ユニット１５ｃが設けられている。
【００３９】
収納ユニット１５ａ、１５ｂ、１５ｃは同じ大きさであり、また移動自在であるため、互いの位置を交換することができる。これらの収納ユニット１５ａ、１５ｂ、１５ｃは、あらかじめ設けておいてもよいし、後から設けてもよい。
【００４０】
２階は大空間の１つの居室となっており、図示しない間仕切壁により任意の間取りに仕切ることができる。２階では、図１（ｂ）に示すように、西側の外壁１Ｗの玄関１１の上部に、庇２１が設けられるとともに、小開口部６ｂが設けられている。
【００４１】
北側の外壁１Ｎには、窓８ａ、８ｂの上部に窓８ｄが、窓８ｃの上部に窓８ｅが設けられている。耐力壁２ａ、２ｂの間にはベランダ２３が設けられている。また、耐力壁２ｃと柱構造との間には、大開口部７ｂが設けられている。なお、大開口部７ａと大開口部７ｂとの間には、庇２２が設けられるとともに、図示しない梁が設けられている。図示しない梁は、東側の柱構造３Ｅと耐力壁２ｃによって支持されている。２階の床２４の南側の端部は、東側の柱構造３Ｅと図示しない梁とによって支持されている。
【００４２】
収納ユニット１５ｂ、１５ｃの上部には、幅約４５ｃｍの接続床２５が２階の床２４と同じ高さに設けられている。また、南側の外壁１Ｓには、採光用の小窓９が形成されている。
【００４３】
この建物では、吹き抜け部１７の部分に床を後施工することができる。ここで、吹き抜け部１７の外周部分の構造について説明する。図２（ａ）は、吹き抜け部１７の部分を東側から見た鉛直断面図である。
【００４４】
図２（ａ）に示すように、吹き抜け部１７の南側の外周部には、外壁１Ｓと平行に梁部材３０Ｓが設けられている。梁部材３０Ｓは、東側の外壁１Ｅと、西側の外壁１Ｗとにより両端部を支持されている。梁部材３０Ｓは、上面の高さが、２階の床２４の床高さと等しくなるように設置されている。接続床２５は、外壁１Ｓと梁部材３０Ｓとの間に、梁部材３０Ｓの上面の高さと等しくなるように設置されている。
【００４５】
梁部材３０Ｓの外壁１Ｓ側の側面には、接続床２５の厚さだけ上面よりも低い位置に床受け材３１が取り付けられている。接続床２５は、外壁１Ｓと、床受け材３１とにより支持された状態で、図示しない螺旋釘や接着剤等により外壁１Ｓ及び梁部材３０Ｓと一体に固定されている。
【００４６】
梁部材３０Ｓが受ける荷重は、接続床２５を介して外壁１Ｓへ伝達される。このため、図２（ｂ）に示すように、床パネル２８を設けた場合に、床パネル２８が受ける荷重は、梁部材３０Ｓから接続床２５を介して外壁１Ｓへ伝達されるので、床パネル２８を確実に支持することができる。
【００４７】
吹き抜け部１７の北側の外周部には、壁５の上端に沿って胴差２７が設けられている。壁５は２階の床２４を支持している。２階の床２４の吹き抜け部１７側の端部には、図２（ａ）に示すように、落下防止用の手摺壁２６が図示しないボルト等により着脱自在に設けられている。
【００４８】
なお、図３に示すように、梁部材３０Ｓの上部に、２階の壁２９が設けられる構造であってもよい。この場合、壁２９はラグスクリューボルト３２等により、梁部材３０Ｓに固定される。壁２９は耐力壁であってもよいし、間仕切壁であってもよい。
【００４９】
また、接続床２５の上部に、収納ユニット１５ａ、１５ｂ、１５ｃと同様の収納ユニットを後から設けてもよい。
【００５０】
吹き抜け部１７の西側の外周部には、南側の外周部と同様に、外壁１Ｗと平行に梁部材３０Ｗが設けられている。図４は梁部材３０Ｗの北側の端部の支持構造を示す図であり、（ａ）は斜視図、（ｂ）は鉛直断面図である。梁部材３０Ｗの北側の端部は、壁５により支持されている。梁部材３０Ｗの東側が、吹き抜け部１７になっている。
【００５１】
壁５を構成する壁パネル５１の上端には、補助合板５２が貼られている。この補助合板５２に、梁部材３０を支持する支持材４０が設けられている。支持材４０は、補助合板５２に固定されるとともに梁部材３０Ｗの端面と当接する基部４１と、梁部材３０Ｗの両側面と当接する側部４２ａ、４２ｂと、梁部材３０の下面と当接する底部４３とからなる。支持材４０により、梁部材３０の外壁１に対する位置が定められるとともに、梁部材３０が安定して支持されている。
【００５２】
壁５の、梁部材３０Ｗよりも東側の部分には、北半分に２階の床２４が設けられるとともに、南半分に胴差２７が設けられる。また、壁５の上端の、梁部材３０Ｗよりも西側の部分には、図４（ａ）に示すように、北半分に胴差５３が設けられるとともに、南半分に接続床２５（図示せず）が設けられる。胴差５３と梁部材３０Ｗとの間には、調整材５４が設けられる。
【００５３】
梁部材３０Ｗの南側の端部を支持する壁パネル４ｄにも、同様の支持材が取り付けられる。梁部材３０Ｓの東西の端部を支持する壁パネル４ｅや耐力壁２ｃにも、同様の支持材が取り付けられる。
【００５４】
なお、吹き抜け部１７に東西方向に床パネル２８を渡す場合には、吹き抜け部１７の東側の外周部にも梁を設けてもよい。この場合には、耐力壁２ｃ及び壁５に支持材が取り付けられる。
【００５５】
吹き抜け部１７の部分に床を後施工する場合には、以下の工程を行う。まず、図２（ｂ）に示すように、梁部材３０Ｗ、２４Ｓの吹き抜け部１７側の側面の、新たな床パネル２８の厚さだけ上面よりも低い位置に床受け材３１を取り付ける。次いで、床受け材３１の上に、新たな床パネル２８を設置し、固定する。
【００５６】
その後、床パネル２８と２階の床２４との間の手摺壁２６を撤去するとともに、床パネル２８の残った吹き抜け部分との境界部分に新たな手摺壁を設ける。最後に、１階の天井仕上げと、２階の床仕上げを行うことで、床の後施工が完了する。
【００５７】
このように、本発明によれば、吹き抜け部１７の部分に床を後施工することができるので、例えば子供が成長して個室が必要になった場合にも、床面積を増やして子供部屋用のスペースを増やすことができる。
【００５８】
また、このような建物では、上記の後施工床の施工工程を逆の順序で行うことにより、床を取り外し、吹き抜け部１７を形成することができる。このため、例えば子供が独立して個室が不要になった場合には、後施工した床部分を再び吹き抜け部に戻すことも可能である。
【００５９】
さらに、梁部材３０Ｗの上面が２階の床面と面一であるため、２階の床２４の厚さだけ、１階の天井と２階の床との高さの差を小さくすることができ、同一階高でも天井高さを高くとることができる。したがって、梁が天井から下に突出することがなく、天井を平坦に形成することができる。このため、階下で間仕切壁を自由に動かすことができる。
【００６０】
また、梁部材３０Ｗ、３０Ｓ、及び接続床２５と、１階の床または２階の天井と、耐力壁（外壁１Ｗ、１Ｓ）とにより、鉛直断面視コ字状の構造が形成されるので、この間に収納ユニット１５ｂ、１５ｃなどの特別な物入れ棚を設けることができる。
【００６１】
なお、以上の実施の形態においては、梁部材３０に床受け材３１を設けたが、吹き抜け部１７の外周部を構成する壁材に床受け材３１を設けてもよい。また、床の後施工に伴い、階段１６の位置も任意に変更することができ、図１では西側から東側へ上がる構造であったが、例えば南側から北側へ上がる構造としてもよい。また、吹き抜け部１７自体の位置や、その他の間取りや方角についても適宜変更可能であることはもちろんである。
【図面の簡単な説明】
【００６２】
【図１】本発明を実施した建物を示す間取り図であり、（ａ）は１階の間取り図、（ｂ）は２階の間取り図である。
【図２】（ａ）は図１の建物の吹き抜け部分の構造を示す鉛直断面図であり、（ｂ）は（ａ）の吹き抜け部分に床を後施工した構造を示す鉛直断面図である。
【図３】図２の吹き抜け部分の他の構造を示す鉛直断面図である。
【図４】図１の建物における梁部材３０Ｗの北側の端部の支持構造を示す図であり、（ａ）は斜視図、（ｂ）は鉛直断面図である。
【符号の説明】
【００６３】
１Ｎ、１Ｅ、１Ｗ、１Ｓ      外壁
２ａ、２ｂ、２ｃ     耐力壁
４ａ、４ｂ、４ｃ、４ｄ、４ｅ       壁パネル
５     壁
１７   吹き抜け部
２５   接続床
２６   手摺壁
２８   床パネル
３０Ｗ、３０Ｓ       梁部材
３１   床受け材
４０   支持材
【図１】
2005307509.tif 000003
【図２】
2005307509.tif 000004
【図３】
2005307509.tif 000005
【図４】
2005307509.tif 000006